(57)【要約】【課題】風や地震等でユニット建物に平行四辺形にしようとする力がかかっても、この力に対する抵抗が大きく、しかも、この力が度々発生してもクラックが入ったり破損することのないユニット建物の補強構造を提供する。【解決手段】ユニット建物を構成する建物ユニットの柱２１の上端面に蓋体２１２を取り付ける。ブレース３を対角の柱２１間に差し渡し、柱２１の上端面の蓋体２１２に、このブレース３の連結部材３２を回動自在に軸着する。更に、この柱２１の蓋体２１２には、連結部材３２の隣に、連結部材３２と略等しいか若干厚い補助板６を取り付ける。【選択図】  図４
2005023588.tif 000002
【特許請求の範囲】
【請求項１】
複数個の建物ユニットが組み立てられたユニット建物の補強構造であって、前記建物ユニットには、矩形状の四隅に立設された筒状の柱が備えられ、この筒状の柱には、上端面に蓋体が取り付けられ、線状の連結棒とこの連結棒の両端に取り付けられた板状の連結部材とからなるブレースが対角の柱間に差し渡され、柱の上端面の蓋体には、このブレースの連結部材が回動可能に軸着され、この連結部材の隣に、板状の連結部材と略等しいか若干厚い補助板が設けられていることを特徴とするユニット建物の補強構造。
【請求項２】
前記連結部材の先端の側縁が円弧状になされ、前記補助板が建物ユニットの柱の上端面と、この柱に対峙する隣の柱の上端面とに架け渡され、この補助板から対峙するすべての柱の蓋体のそれぞれに螺入されたボルトまたはビスで補助板が対峙するすべての柱に固定され、この補助板には、先端を円弧状にした形状に切り欠いた切欠部が設けられ、この切欠部の円弧状の先端に前記連結部材の円弧状の側縁が当接されていることを特徴とする請求項１記載のユニット建物の補強構造。
【請求項３】
前記ブレースの連結部材が柱の蓋体に軸着された構造は、前記蓋体と前記連結部材と連結具と係止部材とで構成され、蓋体に設けられている通孔が丸孔であり、前記連結部材が、平板部と、蓋体の通孔に入る大きさの円形で、蓋体の厚みと略同じか若干低く突出した突起がこの平板部の下面に設けられた肉厚部とからなり、この肉厚部には、貫通したネジ孔が設けられ、前記連結具は、連結部材のネジ孔に螺合する肉厚部の厚みより長いネジ棒と、このネジ棒の一方の先端に設けられたネジ棒より大きく蓋体の通孔より小さい径の頭部と、ネジ棒の他方の先端に設けられたネジ棒と略同じか若干小さい径の回転具取付部とからなり、前記係止部材は、蓋体の通孔を通過する大きさで、この係止部材には、連結具のネジ棒は通過するが頭部が通過しない大きさの通孔が偏心した位置に設けられ、係止部材の通孔に連結具の回転具取付部を先頭にして通されたネジ棒が、連結部材のネジ孔に螺入され、蓋体の通孔の中に連結部材の突起が入った状態で、連結具の頭部に引き上げられた係止部材と連結部材の平板部とで蓋体を挟圧した構造になされていることを特徴とする請求項１記載のユニット建物の補強構造。
【請求項４】
複数個の建物ユニットが組み立てられたユニット建物の補強構造であって、前記建物ユニットには、矩形状の四隅に立設された柱が備えられ、この柱と、この柱に対峙する隣の柱には、建物ユニットの内側に突出するジョイント板が架け渡されて取り付けられ、線状の連結棒とこの連結棒の両端に取り付けられた連結部材とからなるブレースが建物ユニットの対角の柱の間に差し渡され、このブレースの連結部材がジョイント板の建物ユニットの内側に突出している場所に回動可能に軸着されていることを特徴とするユニット建物の補強構造。
【請求項５】
複数個の建物ユニットが組み立てられたユニット建物の補強構造であって、前記建物ユニットには、矩形状の四隅に立設された筒状の柱が備えられ、この筒状の柱と、この柱に対峙する隣の筒状の柱には、上端面に連結用通孔と通孔とを有する蓋体が取り付けられ、この上端面の連結用通孔には、上階の建物ユニットを連結するための連結用ピンが取り付けられ、ジョイント板には、通孔と突起とからなる組が対峙する隣の柱の数だけ設けられ、このジョイント板が建物ユニットの柱と対峙する柱とに架け渡され、ジョイント板が柱の上端面の蓋体に、ジョイント板の通孔に蓋体に取り付けられた連結用ピンを挿入し、ジョイント板の突起を蓋体の通孔の中に挿入した状態に、取り付けられていることを特徴とするユニット建物の補強構造。
【発明の詳細な説明】
【０００１】
【発明の属する技術分野】
本発明はユニット建物の補強構造に関する
【０００２】
【従来の技術】
ユニット建物は、運搬可能な一定の大きさの箱形の、且つ、内部、外部の仕上げられた建物ユニットと屋根ユニット・屋根パネルとを、予め、工場で製造し、この建物ユニットや屋根ユニット・屋根パネルの複数個を施工現場に運搬し、施工現場で組み立てて建物となすものであって、現場施工期間が短く、且つ、寸法精度のよい標準化された建物となる特徴があることから、近年、多く建てられている。
【０００３】
このユニット建物を構成する建物ユニットとしては、種々な構造のものが知られている。
例えば、特許文献１には、矩形状の四隅に立設した４本の柱と、この柱の上端部を矩形状の辺に沿って連結した天井梁と、この４本の柱の下端部を矩形状の辺に沿って連結した床梁とからなる建物ユニットの骨格が記載されている。
そして、建物ユニットは、この骨格の相対する天井梁に天井野縁を差し渡して取り付け、この天井野縁の下面に天井面材を取り付けて天井を形成し、相対する床梁に床小梁を差し渡して取り付け、この上に床根太を取り付け、この床根太の上に床面材を取り付けて床を形成したものである。
なお、外壁を設ける場所には、天井梁と床梁の間に間柱を差し渡して取り付け、この間柱に内壁パネルや外壁パネルを取り付けて外壁が形成されている。
更に、必要があれば、間仕切り壁等を取り付ける。
【０００４】
かかるユニット建物を補強するユニット建物の補強構造としては、種々な構造が知られている。
例えば、特許文献２に記載されているユニット建物では、建物ユニットの天井梁や床梁と、隣接する建物ユニットの対峙する天井梁や床梁とをボルト・ナットで連結する構造が示されている。
【０００５】
また、特許文献３に記載されている建物ユニットでは、天井梁と、この天井梁に対峙する隣接する建物ユニットの天井梁とにそれぞれ２個ずつ突起を設け、板状の連結板に４個の通孔を設けていて、この連結板を天井梁と、この天井梁に対峙する天井梁とに架け渡し、この連結板を天井梁に、両方の天井梁に設けた突起を連結板の通孔に挿入した状態に、取り付けて、天井梁と、この天井梁に対峙する天井梁とを連結した構造が示されている。
【０００６】
また、特許文献４には、建物ユニットの対角の柱をブレースで連結して天井面を補強する構造が記載されている。
なお、このブレースと柱との取付構造は、板状体の一部を切り起こして形成した補強部材取付片を有する取付金具を柱に取り付け、この補強部材取付片にブレースを取り付けていて、平面視矩形状の建物ユニットの長辺と短辺との比率が異なる場合には、この切り起こした補強部材取付片の折曲部を変形することにより天井梁との角度を変化させることで適応できるようにした構造が示されている。
また、この特許文献４には、複数の建物ユニットを隣接して据え付け、第１の建物ユニットの柱から第２の建物ユニットの柱にブレースを取り付けるというように複数個の建物ユニット間にブレースを取り付けて全体を固定することも記載されている。
【０００７】
【特許文献１】
特公昭６１−４２０６１号公報
【特許文献２】
特公平６−１５７８５号公報
【特許文献３】
特開平１１−８１４８１号公報
【特許文献４】
特開２００２−３２２７４１号公報
【０００８】
【発明が解決しようとする課題】
しかし、特許文献２に記載されている天井梁や床梁と、この天井梁や床梁に対峙する天井梁や床梁とを連結する構造では、建物全体の天井部分や床部分が一体となり、補強効果が大きいが、風や地震等の外力が加わったときに、この外力の方向によっては、天井梁や床梁が連結したまま、天井全体や床全体が捩じれ、平行四辺形に変形しようとする力になるが、かかる力に対しては抵抗力が弱いという問題がある。
【０００９】
特許文献３に記載されている対峙する天井梁を連結板で連結する構造では、特許文献２と同様に、連結されている天井梁が相対的に移動することがないが、天井全体が捩じれ、平行四辺形に変形しようとする力に対する抵抗力が弱いという問題がある。
【００１０】
特許文献４に記載されているブレースで補強する構造は、対角の柱の相対的な位置が略一定になっていて、平行四辺形に変形しようとする力に対しては、ブレースが若干伸縮して変形するが、力がなくなると元の状態に戻るというように、極めて抵抗力が大きく、好ましい補強方法である。
しかし、ブレースが若干伸縮して平行四辺形になるときには、天井梁や床梁とブレースとの角度が変化する。従って、この平行四辺形に変形しようとする力が度々繰り返されると、角度が変化する度に切り起こした補強部材取付片が左右に変形し、この補強部材取付片の付け根の部分にクラックが入ったり、付け根の部分が破損し易いという問題がある。
【００１１】
また、特許文献４の複数の建物ユニットに跨がってブレースを取り付けた補強構造では、風や地震等で発生する外力の方向によっては、複数の建物ユニット間にずれが生じるという問題がある。
そこで、この発明の目的は、風や地震等で建物ユニットを平行四辺形にしようとする力がかかっても、この力に対する抵抗が大きく、しかも、この力が度々発生してもクラックが入ったり破損することのないユニット建物の補強構造を提供することである。
【００１２】
【課題を解決するための手段】
本発明は、上記課題を解決するためになされたものであって、請求項１に記載の発明は、複数個の建物ユニットが組み立てられたユニット建物の補強構造であって、前記建物ユニットには、矩形状の四隅に立設された筒状の柱が備えられ、この筒状の柱には、上端面に蓋体が取り付けられ、線状の連結棒とこの連結棒の両端に取り付けられた板状の連結部材とからなるブレースが対角の柱間に差し渡され、柱の上端面の蓋体には、このブレースの連結部材が回動可能に軸着され、この連結部材の隣に、板状の連結部材と略等しいか若干厚い補助板が設けられているものである。
【００１３】
この請求項１記載の発明における補助板は、建物ユニットの柱の上に上階の建物ユニットの柱や屋根ユニットの柱等の柱を載せたときに、この上階の建物ユニットや屋根ユニット等の荷重が補助板にかかり、ブレースの連結部材にかからないようにするためのものである。
従って、この補助板は大きい方が単位面積あたりの荷重が少なくなるので好ましい。かかる意味で補助板は連結部材を囲む形状が好ましい。
【００１４】
請求項２記載の発明は、請求項１記載の発明に係り、前記連結部材の先端の側縁が円弧状になされ、前記補助板が建物ユニットの柱の上端面と、この柱に対峙する隣の柱の上端面とに架け渡され、この補助板から対峙するすべての柱の蓋体のそれぞれに螺入されたボルトまたはビスで補助板が対峙するすべての柱に固定され、この補助板には、先端を円弧状にした形状に切り欠いた切欠部が設けられ、この切欠部の円弧状の先端に前記連結部材の円弧状の側縁が当接されているものである。
【００１５】
本発明における建物ユニットの柱と、この柱に対峙する隣の柱とは、一般に建物ユニットを複数個水平方向に並べて据え付ける場合には、略同じ大きさの壁面を対峙させて組み立てる場合が多く、このように建物ユニットを据え付けたユニット建物では、壁面の両側に設けられている柱が対峙する。
従って、ユニット建物の外側に面した部分に建物ユニットが並んで据え付けると、２個の柱が対峙する。又、入隅を形成するように３個の建物ユニットを角を突き合わせて据え付けると、入隅部で３個の柱が対峙するし、４個の建物ユニットを角を付き合わせて据え付けると、４個の柱が対峙する。
【００１６】
また、建物ユニットにバルコニーユニットや庇ユニット等を並べて据え付けるというように、上記建物ユニットの１個〜３個の柱をバルコニーユニットや庇ユニットの柱に替わる場合もあるが、この場合にも同様に柱が対峙する。従って、この場合も本発明に含まれる。
そして、請求項２記載の発明における補助板が建物ユニットの柱の上端面と、この柱に対峙する隣の柱の上端面とに架け渡されるとは、対峙するこの２〜４個の柱の上端面に架け渡すことをいうのである。
【００１７】
請求項３記載の発明は、請求項１記載の発明に係り、前記ブレースの連結部材が柱の蓋体に軸着された構造は、前記蓋体と前記連結部材と連結具と係止部材とで構成され、蓋体に設けられている通孔が丸孔であり、前記連結部材が、平板部と、蓋体の通孔に入る大きさの円形で、蓋体の厚みと略同じか若干低く突出した突起がこの平板部の下面に設けられた肉厚部とからなり、この肉厚部には、貫通したネジ孔が設けられ、前記連結具は、連結部材のネジ孔に螺合する肉厚部の厚みより長いネジ棒と、このネジ棒の一方の先端に設けられたネジ棒より大きく蓋体の通孔より小さい径の頭部と、ネジ棒の他方の先端に設けられたネジ棒と略同じか若干小さい径の回転具取付部とからなり、前記係止部材は、蓋体の通孔を通過する大きさで、この係止部材には、連結具のネジ棒は通過するが頭部が通過しない大きさの通孔が偏心した位置に設けられ、係止部材の通孔に連結具の回転具取付部を先頭にして通されたネジ棒が、連結部材のネジ孔に螺入され、蓋体の通孔の中に連結部材の突起が入った状態で、連結具の頭部に引き上げられた係止部材と連結部材の平板部とで蓋体を挟圧した構造になされているものである。
【００１８】
請求項４記載の発明は、複数個の建物ユニットが組み立てられたユニット建物の補強構造であって、前記建物ユニットには、矩形状の四隅に立設された柱が備えられ、この柱と、この柱に対峙する隣の柱には、建物ユニットの内側に突出するジョイント板が架け渡されて取り付けられ、線状の連結棒とこの連結棒の両端に取り付けられた連結部材とからなるブレースが建物ユニットの対角の柱の間に差し渡され、このブレースの連結部材がジョイント板の建物ユニットの内側に突出している場所に回動可能に軸着されているものである。
【００１９】
この請求項４記載の発明においては、建物ユニットの柱と、この柱に対峙する隣の柱には、ジョイント板が架け渡されて取り付けられているが、この取り付けるときに、ジョイント板を対峙するすべての柱の蓋体に固定することが好ましい。この固定するときには、各柱の蓋体の１箇所をボルトやビス等で固定してもよいし、２箇所以上を固定してもよい。
特に、２箇所以上を固定すると、建物ユニットの柱が回動し難くなるので好ましい。
【００２０】
請求項５記載の発明は、複数個の建物ユニットが組み立てられたユニット建物の補強構造であって、前記建物ユニットには、矩形状の四隅に立設された筒状の柱が備えられ、この筒状の柱と、この柱に対峙する隣の筒状の柱には、上端面に連結用通孔と通孔とを有する蓋体が取り付けられ、この上端面の連結用通孔には、上階の建物ユニットを連結するための連結用ピンが取り付けられ、ジョイント板には、通孔と突起とからなる組が対峙する柱の数だけ設けられ、このジョイント板が建物ユニットの柱と対峙する隣の柱とに架け渡され、ジョイント板が柱の上端面の蓋体に、ジョイント板の通孔に蓋体に取り付けられた連結用ピンを挿入し、ジョイント板の突起を蓋体の通孔の中に挿入した状態に、取り付けられているものである。
【００２１】
この請求項５記載の発明では、連結用通孔に上階の建物ユニットを連結するための連結用ピンが取り付けられているが、この連結用ピンは、次に示すように使用されるのである。
即ち、上階の建物ユニットや屋根ユニットやバルコニーユニットや庇ユニットには、柱の下端に通孔を有する蓋体に設けていて、建物ユニットの柱の上端に設けられている連結用ピンを上階の建物ユニット等の柱の下端に設けられている通孔に挿入しながら、建物ユニットの上に上階の建物ユニット等を据え付ける。すると、上階の建物ユニット等を寸法精度よく据え付けられると同時に移動しないように上階の建物ユニット等を強固に固定することができるのである。
【００２２】
更に、この連結用ピンに雄ネジを設けていて、上階の建物ユニットや屋根ユニット等を上記のように据えつけた後に、柱の上端の蓋体に設けられている通孔から回転具を挿入して、連結用ピンの雄ネジにナットを螺入し巻き締めると、更に、上階の建物ユニット等を強固に固定することができるので、好ましい。
【００２３】
（作用）
請求項１記載の発明では、複数個の建物ユニットが組み立てられたユニット建物の補強構造であって、前記建物ユニットには、矩形状の四隅に立設された筒状の柱が備えられ、この筒状の柱には、上端面に蓋体が取り付けられ、線状の連結棒とこの連結棒の両端に取り付けられた板状の連結部材とからなるブレースが対角の柱間に差し渡され、柱の上端面の蓋体には、このブレースの連結部材が回動可能に軸着され、この連結部材の隣に、板状の連結部材と略等しいか若干厚い補助板が設けられているので、下階の建物ユニットの柱の上に上階の建物ユニットや屋根ユニット、バルコニーユニット、庇ユニット等の柱を載置したときに、板状の連結部材と略等しいか若干厚い補助板が上階の建物ユニットや屋根ユニットの柱に挟圧されるが、連結部材は挟圧されない。従って、この連結部材は回動可能の状態にある。
【００２４】
そして、風や地震等で建物ユニットに平行四辺形にしようとする力が加って、建物ユニットが若干変形したときには、ブレースの連結部材が回動して、連結部材と天井梁や床梁とのなす角度が変化する。そして、平行四辺形にしようとする力がなくなると元の状態に戻る。
このように、対角にブレースが取り付けられているので平行四辺形にしようとする力に対する抵抗力が大きいし、これ平行四辺形になる力が繰り返されても、連結部材が回動するので、この連結部材にクラックが発生したり破損することがない。
なお、特許文献３に記載されているように、平面視矩形状の建物ユニットの長片と短片の比率が替わった場合にも、回動自在に軸着されている連結部材が回動することで適応できる。
【００２５】
請求項２記載の発明では、請求項１記載の発明に係り、前記連結部材の先端の側縁が円弧状になされ、前記補助板が建物ユニットの柱の上端面と、この柱に対峙する隣の柱の上端面とに架け渡され、この補助板から対峙するすべての柱の蓋体のそれぞれに螺入されたボルトまたはビスで補助板が対峙するすべての柱に固定され、この補助板には、先端を円弧状にした形状に切り欠いた切欠部が設けられ、この切欠部の円弧状の先端に前記連結部材の円弧状の側縁が当接されているので、補助板が建物ユニットの柱の上端面と、この柱に対峙する柱の上端面とに架け渡されて固定されて、対峙する柱間の距離が変化しないようになっているし、この両方の柱の上端面の蓋体に螺入されたボルトまたはビスと、補助板に設けられている切欠部の円弧状の先端とに連結部材の円弧状の側縁とが当接している位置の２箇所で、補助板が蓋体に固定されていて、この対峙するすべての柱に取り付けられている補助板によって柱が回転できないようになっている。
【００２６】
そして、建物ユニットが平行四辺形に変形しようとする力が加わったときには、柱に取り付けられている天井梁や床梁にかかる力のバランスが崩れて柱が左右に回動したり移動しようとする力になるが、この補助板によって、対峙する柱間の距離が変化しないようになっているし、柱が回転できないようになっていて、平行四辺形になり難い。即ち、補助板が平行四辺形にしようとする力に対する抵抗力が大きい。
【００２７】
また、対角に取り付けられたブレースの連結部材の円弧状の側縁がジョイント板の切欠部の円弧状の先端側縁に当接しているので、連結部材の回動に支障がなく、請求項１記載の発明で述べたように、平行四辺形にしようとする力に対してブレースも抵抗力する。
この両方の作用によって、この平行四辺形にしようとする力に対する抵抗力が大きい。
また、回動可能な連結部材にクラックが発生したり破損することがないし、平面視矩形状の建物ユニットの長片と短片の比率が変わった場合にも、適応できる。
【００２８】
請求項３記載の発明では、請求項１記載の発明に係り、前記ブレースの連結部材が柱の蓋体に軸着された構造は、前記蓋体と前記連結部材と連結具と係止部材とで構成され、蓋体に設けられている通孔が丸孔であり、前記連結部材が、平板部と、蓋体の通孔に入る大きさの円形で、蓋体の厚みと略同じか若干低く突出した突起がこの平板部の下面に設けられた肉厚部とからなり、この肉厚部には、貫通したネジ孔が設けられ、前記連結具は、連結部材のネジ孔に螺合する肉厚部の厚みより長いネジ棒と、このネジ棒の一方の先端に設けられたネジ棒より大きく蓋体の通孔より小さい径の頭部と、ネジ棒の他方の先端に設けられたネジ棒と略同じか若干小さい径の回転具取付部とからなり、前記係止部材は、蓋体の通孔を通過する大きさで、この係止部材には、連結具のネジ棒は通過するが頭部が通過しない大きさの通孔が偏心した位置に設けられ、係止部材の通孔に連結具の回転具取付部を先頭にして通されたネジ棒が、連結部材のネジ孔に螺入され、蓋体の通孔の中に連結部材の突起が入った状態で、連結具の頭部に引き上げられた係止部材と連結部材の平板部とで蓋体が挟圧されている構造になされているので、次に示すように、蓋体の上方から連結部材を柱の蓋体に回動自在に容易に取り付けることができ、作業し易いし、ブレースは、通常、建物ユニットの対角に取り付けた後に線状の連結棒の長さを短くして張って対角間の距離の変化をできるだけ小さくしているが、この際に、ネジ棒が痛まないし、このブレースの張力にも耐える構造をしている。
【００２９】
即ち、連結部材を柱の蓋体に取り付ける方法の一例を示す。
先ず、係止部材の通孔に連結具を、回転具取付部を先頭にして、通す。
すると、連結具は、ネジ棒の一方の先端に設けられたネジ棒より大きい径の頭部と、ネジ棒の他方の先端に設けられたネジ棒と略同じか若干小さい径の回転具取付部とからなり、係止部材には、連結具のネジ棒は通過するが頭部が通過しない大きさの通孔が設けられているので、係止部材は回転具取付部を通過し、ネジ棒の部分を進んで連結具の頭部に衝突した状態で停止する。
【００３０】
次に、ブレースの連結部材のネジ孔に連結具を、下方から回転具取付部を先頭にして挿入した後に、頭部を回転させて回転具取付部が連結部材の肉厚部から上方に突出する中間位置まで螺入して、連結具をブレースの連結部材に取り付ける。
すると、連結具のネジ棒は連結部材のネジ孔に螺合するし、回転具取付部がネジ棒と略同じか若干小さいので、回転具取付部を先頭にしてネジ孔に挿入すると、回転具取付部がネジ孔を通過し、ネジ棒がネジ孔に合う。その後、頭部を回転させると、ネジ棒がネジ孔に螺入される。その際、ネジ棒が連結部材の肉厚部の厚みより長いので、ネジ棒の先端に設けられている回転具取付部が肉厚部から突出させることができる。
【００３１】
次に、このようにしてブレースの連結部材に取り付けられた連結具を柱の蓋体の上方から、蓋体に設けられた通孔に、連結具の頭部を先頭にして挿入する。
すると、先頭の連結具の頭部と、次の係止部材と、連結部材の突起は、蓋体の通孔より小さいか通孔を通過する大きさであるので、これ等が蓋体の通孔を通過し、連結具は連結部材の肉厚部まで進んだ状態で止まる。
【００３２】
次に、連結部材の肉厚部から上方に突出している回転具取付部をラチェット等の回転具で回転すると、連結具のネジ棒が回転し、この連結具の頭部が上昇し係止部材が引き上げられる。
すると、係止部材の通孔が偏心した位置に設けられているので、ネジ棒を回転させたときに、係止部材が回転してどちらかにずれ、頭部で引き上げられた係止部材が蓋体の通孔の周縁部に引っかかり、蓋体の通孔の中に連結部材の平板部の下面に設けられている突起が入った状態で、ネジ棒の頭部に引き上げられた係止部材と連結部材の平板部とで蓋体を挟圧した構造になる。即ち、請求項３記載の構造になり、連結部材が柱の蓋体に取り付けられる。
このようにして、連結部材を柱の上方から取り付けることができるので、施工し易い。
【００３３】
そして、連結部材を回転させようと力を加えると、蓋体の通孔は丸孔であるし、連結部材の突起は円形であるので、連結部材が支障なく回転する。即ち、連結部材は回動可能になっている。しかも、突起は蓋体の厚みと略同じか若干低いので、係止部材と連結部材の平板部とで蓋体を挟圧しても、この突起には圧力がかからず、連結部材の回動に支障がない。
また、ブレースを取り付けた後に連結棒の長さを短くして、ブレースに張力を掛けても、この張力は蓋体の通孔の中に挿入されている突起が蓋体の通孔の縁部に引っ掛かかって、この突起にブレースの張力がかかるが、この突起は連結具より直径が大きいので、この張力に十分耐えるようにすることができる。しかも、ネジ棒に負担がかからず、ネジ棒が痛まない。
【００３４】
また、ブレースを取り外したり、取り換える時などでは、この連結部材を外すが、このときには、回転具取付部を回転具で反対方向に回転させる。
すると、ネジ棒の頭に押されている係止部材と連結材本体との距離が大きくなり、蓋体を挟圧している力がなくなり、取り外すことができる。
なお、この際、連結具や係止部材が柱の中に落下して取り出すことができなくなるのではないかという心配があるが、かかる場合には、回転具取付部の高さを連結部材の肉厚部の厚みより小さくすると、回転具取付部を回転させて、連結具が下方に移動したときに、回転具取付部が連結部材の中に沈み込むので、これ以上、回転具取付部を回転させることができなくなり、連結部材と連結具や係止部材が分離せず、その結果、連結具や係止部材が落下しない。
【００３５】
請求項４記載の発明では、複数個の建物ユニットが組み立てられたユニット建物の補強構造であって、前記建物ユニットには、矩形状の四隅に立設された柱が備えられ、この柱と、この柱に対峙する隣の柱には、建物ユニットの内側に突出するジョイント板が架け渡されて取り付けられ、線状の連結棒とこの連結棒の両端に取り付けられた連結部材とからなるブレースが建物ユニットの対角の柱の間に差し渡され、このブレースの連結部材がジョイント板の建物ユニットの内側に突出している場所に回動可能に軸着されているので、ジョイント板で対峙する柱が連結され、柱間の距離が変化しない。また、このブレースの取付位置はジョイント板の建物ユニットの内側に突出している場所であって、このジョイント板に回動可能に軸着されている連結材の回動に支障がない。
【００３６】
従って、風や地震等で建物ユニットに平行四辺形にしようとする力が加わったときに、ジョイント板が架け渡された対峙する柱間の距離が変化しないし、連結部材が回動することで、平行四辺形に変形しようとする力に対する抵抗力が大きい。しかも、これ力が繰り返しても、この回動部分にクラックが発生したり破損することがない。
【００３７】
請求項５記載の発明では、複数個の建物ユニットが組み立てられたユニット建物の補強構造であって、前記建物ユニットには、矩形状の四隅に立設された筒状の柱が備えられ、この筒状の柱と、この柱に対峙する隣の筒状の柱には、上端面に連結用通孔と通孔とを有する蓋体が取り付けられ、この上端面の連結用通孔には、上階の建物ユニットを連結するための連結用ピンが取り付けられ、ジョイント板には、通孔と突起とからなる組が対峙する隣の柱の数だけ設けられ、このジョイント板が建物ユニットの柱と対峙する柱とに架け渡され、ジョイント板が柱の上端面の蓋体に、ジョイント板の通孔に蓋体に取り付けられた連結用ピンを挿入し、ジョイント板の突起を蓋体の通孔の中に挿入した状態に、取り付けられているので、ジョイント板が架け渡された対峙する柱間の距離が変化せず、しかも、このジョイント板は対峙する隣の柱の蓋体の連結用通孔と通孔の２箇所で固定されていて、柱が回動できない状態になっている。
【００３８】
このようになっているので、建物ユニットに平行四辺形に変形する力が加わると、柱に取り付けられている天井梁や床梁のかかる力のバランスが崩れて柱が左右に移動したり柱を回動しようとする力になるが、ジョイント板で対峙する柱間の距離が変化せず、しかも、柱が回動できないように強固に固定されていて、このジョイント板が平行四辺形にしようとする力に対する抵抗力は大きい。
【００３９】
【発明の実施の形態】
以下、本発明の実施の形態を実施例で説明する。
（実施例１）
図１〜図１０は本発明の一実施例を示すもので、図１はユニット建物を示す斜視図、図２は建物ユニットを示す一部切欠斜視図、図３（イ）は柱を斜め上方から見た斜視図、（ロ）は柱を斜め下方から見た斜視図、図４は図１のＡ部分の柱にブレースを取り付けてた状態の主要部を示す斜視図、図５（イ）はブレースの斜視図、（ロ）は（イ）の正面図、図６は連結具を示す斜視図、図７は係止部材の斜視図、図８（イ）は補助板を示す斜視図、図９は建物ユニット本体にブレースを取り付けている状態を示すもので、（イ）連結部材が取り付けられた連結具を柱の蓋体の通孔の中に挿入している状態を示す縦断面図、（ロ）は連結部材が取り付けられた連結具を柱に取り付けた状態を示す縦断面図、図１０は、建物ユニット本体からブレースを取り外している状態を示すもので、（イ）は連結具の回転具取付部を回転している状態を示す縦断面図、（ロ）連結具の回転具取付部の回転を終了した状態を示す縦断面図である。
【００４０】
図１〜図１０において、Ｈはユニット建物であり、このユニット建物Ｈは、図１に示すように、基礎９９の上に９個の建物ユニット１が据え付けられて１階が形成され、この１階の建物ユニット１の上に９個の建物ユニト１が据え付けられて２階が形成され、この２階の建物ユニット１の上に屋根パネル９が取り付けられたものである。
【００４１】
このユニット建物１を構成する建物ユニット１は、図２に示すように、建物ユニット本体２にブレース３が取り付けられたものである。
建物ユニット本体２は、矩形状の四隅に立設された４本の柱２１と、この４本の柱２１の下端部を矩形状の辺に沿って連結した鋼製の断面コ字形長尺体の４本の床梁２２と、この４本の柱２１の上端部を矩形状の辺に沿って連結した鋼製の断面コ字形長尺体の天井梁２３とからなる骨格を有する。
【００４２】
この際、使用される柱２１は、図３に示すように、鋼製の四角筒体の柱本体２１１と、この柱本体２１１の上端に取り付けられた蓋体２１２と、この柱本体２１１の下端に取り付けられた蓋体２１３とからなる。
そして、この上端の蓋体２１２には、丸孔の通孔２１５が、又、下端の蓋体２１３には、丸孔の通孔２１６がそれぞれ設けられている。
【００４３】
建物ユニット本体２は、相対する床梁２２に鋼製の四角筒体の床小梁２３が差し渡され、この床小梁２４の上に木製の床根太２５が取り付けられ、この床根太２５の上面にパーチクルボードの床面材２６が取り付けられて床が形成され、相対する天井梁２３に木製の天井野縁２７が差し渡され、この天井野縁２７の下面に石膏ボードの天井面材２８が取り付けられて天井が形成されたものである。
【００４４】
また、外壁を設ける場所には、天井梁２３と床梁２２の間に鋼製の断面コ字形長尺体の間柱２９が差し渡され、この間柱２９の外側に図示しない外壁パネルが取り付けられ、内側に図示しない内壁パネルが取り付けられ、この外壁パネルと内壁パネルの間に図示しないガラスウールの断熱材が取り付けられて外壁が形成される。又、必要な場所には間仕切りパネルが取り付けられて部屋が形成される。
【００４５】
このブレース３は、図５に示すように、線状の２本の連結棒３１と、この連結棒３１の両端に取り付けられた板状の連結部材３２と、２本の連結棒３１を接続する伸縮具３３とからなる。そして、この伸縮具３３を回転させると、２本の連結棒３１が左右に離れたり、中央方向に引き寄せられたりしてブレース３を伸縮させることができるようになっている。
【００４６】
この連結部材３２は、先端が円弧状になされた板状の平板部３２１と、この平坦部３２１の下面に、蓋体２１２の厚みと略同じか若干低く、且つ、蓋体２１２の通孔２１５に入る大きさの突起３２２が設けられた肉厚部３２３とからなる。そして、この肉厚部３２３には、貫通したネジ孔３２５が設けられ、平板部３２１の根元には連結棒３１が溶接されている。
【００４７】
このブレース３の取付構造について説明する。
このブレース３の取付構造は、前記蓋体２１２と、前記連結部材３２と、連結具４と、係止部材５とで構成される。
連結具４は、図６に示すように、ネジ棒４１と頭部４２と回転具取付部４３とからなる。
ネジ棒４１は、外周に連結部材３２のネジ孔３２５に螺合する雄ネジが設けられた棒状体であり、連結部材３２の肉厚部３２３の厚みより長い。
【００４８】
頭部４２は、ネジ棒４１の一方の先端に設けられていて、ネジ棒４１より大きく蓋体２１２の通孔２１５より小さい径を有するものである。
回転具取付部４３は、ネジ棒４１の他方の先端に設けられていて、ネジ棒４１と略同じか若干小さい径を有するもので、回転具で回転させることのできる形状をしている。例えば、回転具がラチエットやモンキードライバーである場合には、回転具取付部４３の外周面が六角形になっている。
【００４９】
係止部材５は、図７に示すように、蓋体２１２の通孔２１５を通過する大きさの円盤体であり、この係止部材５には、連結具４のネジ棒４１は通過するが頭部４２が通過しない通孔５１が偏心した位置に設けられている。
そして、ブレース３は、建物ユニット本体２の対角の柱２１の上端面に設けられた蓋体２１２に差し渡され、連結棒３１の両端に取り付けられている連結部材３２が柱２１の上端に取り付けられている蓋体２１２に取り付けられている。
【００５０】
この連結部材３２が蓋板２１２に取り付けられている構造は、図９（ロ）に示すように、係止部材５の通孔５１に回転具取付部４３を先頭にして通された連結具４のネジ棒４１が、連結部材３２のネジ孔３２５に螺入され、蓋体２１２の通孔２１５の中に連結部材３２の平板部３２１の下面に設けられた突起３２２が入った状態で、連結具４の頭部４２に引き上げられた係止部材５と連結部材３２の平板部３２１とで蓋体２１２が挟圧された構造になっている。
【００５１】
６は補助板であり、この補助板６は、対峙するすべての柱２１の蓋体２１２の上に架け渡されて取り付けられるものであって、蓋体２１２に連結部材３２を取り付けることができるように、この補助板６には、連結部材３２を取り付ける位置に切欠部６１が設けられている。
【００５２】
この切欠部６１の数は対峙する柱２１の数によって異なる。
即ち、ユニット建物Ｈの出隅のように１個の柱２１が独立に設けられている場合には、補助板６は、この独立の柱２１と略同じか若干小さい形状になっていて、この補助板６に設けられている切欠部６１は１個である。
また、図１のＡ部分のように、２個の建物ユニット１が一直線状に据え付けられているように２個の柱２１が対峙している場合には、補助板６は、この２個の柱２１の蓋体２１２の上に架け渡すことのできる形状になっていて、この補助板５に設けられる切欠部６１は２個である。
【００５３】
また、入隅のように、３個の建物ユニット１が角を突き合わせて据え付けられているように３個の柱２１が対峙している場合には、補助板６は、この３個の柱２１の蓋体２１２の上に架け渡すことのできる形状になっていて、この補助板６に設けられる切欠部６１は３個である。
また、４個の建物ユニットが角を突き合わせて据え付けられて、４個の柱２１が対峙している場合には、補助板６は、この４個の対峙している柱２１の上に架け渡すことのできる形状になっていて、この補助板６に設けられる切欠部６１は４個である。
【００５４】
そして、この切欠部６１は、建物ユニット１の対峙する柱２１の方向に開口していて、先端が円弧状になっている。
この実施例１では、図１のＡ部分のように、隣接している２個の建物ユニットの対峙している２本の柱２１の蓋体２１２に取り付けられる補助板６について説明し、その他の補助板６についての説明を省略する。
【００５５】
補助板６は、図８に示すように、２個の対峙している柱２１の蓋体２１２の上に架け渡すことのできる大きさの矩形状の板体であり、この補助板６には、矩形状の長辺の両側にある２個の角部にそれぞれ、建物ユニット１の対峙する柱２１の方向に開口している切欠部６１が設けられている。更に、この補助材６を蓋体２１２に取り付けるための通孔６２が２個設けられている。
【００５６】
次に、このユニット建物Ｈの施工方法及び作用について説明する。
工場で、建物ユニット１と屋根パネル９、補助板６等を製造する。
この際の建物ユニット１の製造方法を説明する。
先ず、ユニット建物本体２を製造する。
次に、この建物ユニット本体２の対角にブレース３を差し渡す。
そして、このブレース３の両端にある連結部材３２を柱２１の蓋体２１２に取り付ける。
【００５７】
この連結部材３２を蓋体２１２に取り付ける方法を詳細に説明する。
先ず、係止部材５の通孔５１に連結具４を、回転具取付部４３を先頭にして、通す。
すると、連結具４は、ネジ棒４１の一方の先端に設けられたネジ棒４１より大きな径の頭部４２と、螺子棒４１の他方の先端に設けられたネジ棒４１と略同じか若干より小さな径の回転具取付部４３とからなり、係止部材５には、連結具４のネジ棒４１は通過するが頭部４２が通過しない大きさの通孔５１が設けられているので、係止部材５は回転具取付部４３を通過し、ネジ棒４１の部分を進んで連結具４の頭部４２に衝突した状態で停止する。
【００５８】
次に、ブレース３の連結部材３２のネジ孔３２５に連結具４を、下方から回転具取付部４３を先頭にして挿入した後に、頭部４２を回転させて回転具取付部４３が連結部材３２の肉厚部３２３から上方に突出する中間位置まで螺入する。
すると、連結具４のネジ棒４１は連結部材３２のネジ孔３２５に螺合するし、回転具取付部４３がネジ棒４１と略同じか若干小さいので、回転具取付部４３を先頭にして挿入すると、回転具取付部４３がネジ孔３２５を通過し、ネジ棒４１がネジ孔３２５に合う。その後、頭部４２を回転させると、ネジ棒４１がネジ孔３２５に螺入される。このようにして、連結具４がブレース３の連結部材３２に取り付けられている。
【００５９】
そして、ネジ棒４１の長さが連結部材３２の肉厚部３２３の厚みより長いので、回転具取付部４３は肉厚部３２３より上方に突出する。
次に、このようにしてブレース３の連結部材３２に取り付けられた連結具４を、図９（イ）に示すように、柱２１の蓋体２１２の上方から、蓋体２１２に設けられた通孔２１５に、連結具４の頭部４１を先頭にして挿入する。
すると、先頭の連結具４の頭部４１と、次の係止部材５と、連結部材３２の突起３２２は、蓋体２１２の通孔２１５より小さいか通孔２１５を通過する大きさであるので、これ等が通孔２１５を通過し、連結具４が連結部材３２の肉厚部３２３まで挿入した状態で止まる。
【００６０】
次に、ラチェット等の回転具で肉厚部３２３の上方に突出している回転具取付部４３を回転させると、図９（ロ）に示すように、連結具４のネジ棒４１が回転し、この連結具４の頭部４２が上昇し、係止部材５が引き上げられる。
すると、係止部材５の通孔５１は偏心しているので、ネジ棒４１を回転させたときに係止部材５が回転し、係止部材５がどちからにずれて、連結具４で引き上げられた係止部材５が蓋体２１２の通孔２１５の周縁部に引っかかり、蓋体２１２の通孔２１５の中に、平板部３２１の下面に設けられた突起３２２が入った状態で、連結具４の頭部４２で引き上げられた係止部材５と平板部３２１とで蓋体２１２を挟圧し、ブレース３の連結部材３２が柱２１の蓋体２１２に取り付けられる。
【００６１】
このようにすると、ブレース３の連結部材３２を柱２１の蓋体２１２に、蓋体２１２の上方から簡単に取り付けることができる。
このように取り付けられた構造では、建物ユニット１が平行四辺形にしようとする力が加わったときや、ブレース３を平面視矩形状の長辺と短辺の比率の異なった建物ユニット本体２に取り付けるときに、連結部材３２を回動させる力がかかる。この際、蓋体２１２の通孔２１５が丸孔であり、連結部材３２の突起３２２が円形であるので、連結部材３２の突起３２２が丸孔の中で回動し、その結果、連結部材３２が回動し、この連結部材３２が破損しない。しかも、突起３２２が蓋体の厚みと略同じか若干低いので係止部材５と連結部材３２の平板部３２１とで蓋体２１２を挟圧しても、この突起３２２には圧力がかからず、連結部材３２の回動に支障がない。
【００６２】
このようにして、建物ユニット本体２の対峙する柱２１にブレース３を差し渡した後に、伸縮具３３を回転させて、ブレース３の連結棒３１の長さを短くして、ブレース３を張る。
すると、このブレース３を張る張力が連結部材３２にかかると、この張力は、蓋体２１２の通孔２１５の中に挿入されている突起３２２が蓋体２１２の通孔２１５の縁部に引っ掛かり、この突起３２２にかかるが、この突起は連結具４より直径を大きくすることができ、この張力に十分耐えるようにすることができる。その結果、ネジ棒４１に負担がかからないし、ネジ棒が痛まない。
このようにブレース３を取り付けると建物ユニット１が完成する。
【００６３】
このようにして製造した建物ユニット１や屋根パネル９や補助板６等を施工現場に運搬する。
施工現場では、予め、設けられている基礎９９の上に６個の建物ユニット１を、基礎９９に設けられている図示しないアンカーボルトを柱２１の下端に設けられている蓋体２１３の通孔２１６に挿入しながら、据え付ける。
すると、建物ユニット本体２が基礎９９に移動しないように強固に据え付けられる。
【００６４】
次に、この隣接する建物ユニット本体２の対峙する柱２１の蓋体２１２の上に補助板６を、図４に示すように、連結部材３２の円弧状の側縁部を補助板６の切欠部６１の円弧状の先端に当接させながら、補助板６に設けられている通孔６２から柱２１の蓋体２１２にビス２１９を螺入して、取り付けると１階が形成される。
次に、１階の建物ユニット１の柱２１の上端の蓋体２１２から突出している回転具取付部４３を、２階の建物ユニット１の柱２１の下端に設けられている蓋体２１３の通孔２１６に挿入しながら、２階の建物ユニット１を１階の建物ユニットの上に据え付ける。
【００６５】
このようにして、１階の建物ユニット１の上に６個の建物ユニト１を据え付けて２階を形成し、この２階の建物ユニット１の上に屋根パネル９を取り付け、種々な仕上げを行うと、ユニット建物Ｈが完成する。
このように、１階の建物ユニットの柱２１の上に２階の建物ユニット１の柱２１を載置するが、このときには、柱２１の上端に設けられている補助板６が上下の柱２１によって挟圧されるが、この補助板６の厚みが連結部材３２の厚みと略等しいか若干厚いので、補助板６が挟圧されるだけであって、連結部材３２は挟圧されず、依然として、この連結部材３２は回動可能の状態にある。
【００６６】
従って、このようにして完成したユニット建物Ｈでは、風や地震等で建物ユニットに平行四辺形にしようとする力が加わったときには、建物ユニット１が若干変形し、連結部材３２が移動するが、このときに、ブレース３の連結部材３２が回動するだけであり、平行四辺形にしようとする力がなくなると元の状態に戻る。
【００６７】
このように、対角にブレース３が取り付けられているので平行四辺形にしようとする力に対する抵抗力が大きいし、これ平行四辺形になる力が繰り返されても、連結部材３２が回動するだけであるので、この連結部材３２にクラックが発生したり破損することがない。
また、ブレース３を取り外したり、取り換える時などでは、この連結部材３２を外す必要があるが、かかるときには、連結具４の回転具取付部４３を回転具で反対方向に回転させる。
【００６８】
すると、連結具４の頭部４２に引き上げられた係止部材５と平板部３２１の距離が大きくなり、蓋体２１２を挟圧している力がなくなり、取り外すことができる。
なお、この際、回転具取付部４３を回転させ過ぎて、連結具４や係止部材５が柱２１の筒状の中に落下し、取り出すことができなくなるのではないかという心配があるが、かかる場合には、連結具４の回転具取付部４３の高さを連結部材３２の肉厚部３２３の厚みより小さくするとよい。すると、回転取付部４３を回転させたときに、連結具４が次第に下方に移動し、この連結具４の先端に設けられている回転具取付部４３が、連結部材３２の表面から下方に沈んで回転できなくなり、連結具４や係止部材５が筒状の柱２１の中に落下しくなる。
【００６９】
（実施例２）
図１１は本発明の他の実施例を示すもので、実施例１に使用する部材の代替物を示し、（イ）は連結部材の他の例を示す平面図、（ロ）は（イ）の正面図、（ハ）は連結部材の別の例を示す平面図、（ニ）は（イ）の正面図、（ホ）は補助板の他の例を示す平面図である。
【００７０】
（イ）及び（ロ）に示す連結部材３２ａは、線状の連結棒を取り付ける平板部３２１ａの幅が拡大されて、肉厚部３２３ａの幅より大きくなっいているものである。このように連結棒を取り付ける部分が大きくしていると、連結棒を取り付け易くなる。
（ハ）及び（ニ）に示す連結部材３２ｂは、肉厚部３２３ｂから連結棒を取り付ける平板部３２１ｂまで、次第に幅を広くしたものである。
（ホ）に示す補助板６ａの切欠部６１ａの形状が異なるだけである。
【００７１】
（実施例３）
図１２〜図１７は本発明の別の実施例を示すもので、図１２はユニット建物を示す斜視図、図１３（イ）は第１ジョイント板の斜視図、（ロ）は第２ジョイント板の斜視図、（ハ）は第３ジョイントの斜視図、図１４は第１ジョイント板を対峙する４本の柱（図１２のＢ部分の柱）の上に取り付け、この第１ジョイント板にブレースが取り付けた状態を骨格のみで示す斜視図、図１５は図１４に示す１階の建物ユニットの上に２階のユニット建物本体を据え付けた状態を骨格のみで示す斜視図、図１６は第２ジョイント板を対峙する２本の柱（図１２のＣ部分の柱）の上に取り付ている状態を骨格のみで示す斜視図、図１７は第３ジョイント板を１階の建物ユニット本体とバルコニーの対峙する２本の柱（図１２のＤ部分の柱）の上に取り付ている状態を骨格のみで示す斜視図である。
【００７２】
この図１２〜図１７に示す実施例３を図１〜図１０に示す実施例１と比較すると、ユニット建物Ｈｃが、図１２に示すように、基礎９９ｃの上に６個の建物ユニット１ｃが据えつけられて１階が形成され、この１階の建物ユニット１ｃの上に６個の建物ユニト１ｃが据え付けられ、この建物ユニット１ｃに隣接してバルコニーユニット９５ｃが取り付けられて２階が形成され、この２階の建物ユニット１ｃの上に屋根パネル９ｃが取り付けられたものであることが異なる。
【００７３】
更に、この実施例３に使用する建物ユニット１ｃは、図１に示す建物ユニットと略同じであるが、対峙する４本の柱２１ｃの上には、第１ジョイント板７ｃ−１が取り付けられ、対峙する２本の柱２１ｃの上には、第２ジョイント板７ｃ−２が取り付けられ、対峙する柱２１ｃとバルコニー９５ｃの短柱９６ｃの上には、第３ジョイント板７ｃ−３が取り付けられ、このジョイント板７ｃにブレース３ｃの連結部材３２ｃがボルト・ナットで回転可能に取り付けられていることが異なる。
従って、この異なる部分を中心にして説明する。
【００７４】
第１ジョイント板７ｃ−１は、図１３（イ）に示すように、２個ずつ組になった４組の取付孔７１ｃと角部に設けられた連結部材３２ｃを取り付ける４個の通孔７２ｃが設けられた鋼製の正方形状の板である。
第２ジョイント板７ｃ−２は、図１３（ロ）に示すように、２個ずつ組になった２組の取付孔７１ｃと、角部に設けられた連結部材３２ｃを取り付ける２個の通孔７２ｃとが設けられた鋼製の矩形状の板である。
【００７５】
第３ジョイント板７ｃ−３は、図１３（ハ）に示すように、２個ずつ組になった取付孔７１ｃと、角部に設けられた連結部材３２ｃを取り付ける１個の通孔７２ｃとが設けられた鋼製の矩形状で、角部には、切欠部７８ｃが設けられている板である。
バルコニーユニット９５ｃは、従来と同様に、バルコニー床パネル９６ｃとバルコニーユニット本体９７ｃとからなるので、説明を省略する。
【００７６】
次に、ユニット建物の施工方法及び作用について説明する。
工場で、建物ユニット本体２ｃと屋根パネル、ジョイント板７ｃ、ブレース３ｃ、バルコニーユニット９５ｃ等を製造し、この建物ユニット本体２ｃ、屋根パネル、ジョイント板７ｃ、ブレース３ｃ、バルコニーユニット９５ｃを施工現場に運搬する。
施工現場では、予め、設けられている基礎の上に６個の建物ユニット本体２ｃを、実施例１と同様にして、据え付ける。
【００７７】
次に、この６個の中の１個の建物ユニット本体２ｃには、バルコニー床パネル９６ｃを取り付ける。
次に、図１２のＢ部分に示すように４本の柱２１ｃが対峙する場所の１階の柱２１ｃの上には、図１４に示すように、第１ジョイント板７ｃ−１を架け渡し、第１ジョイント板７ｃ−１の２個ずつ組になった取付孔７１ｃからこの４本の柱２１ｃの蓋体にそれぞれビスを螺入して４本の柱２１ｃに第１ジョイント板７ｃ−１を取り付ける。すると、第１ジョイント７ｃ−１の連結部材３２ｃを取り付ける通孔７２のある部分が建物ユニット本体２ｃの内側に突出する。
【００７８】
また、図１２のＣ部分に示すように２本の柱２１ｃが対峙する場所の１階の柱２１ｃの上には、図１６に示すように、第２ジョイント板７ｃ−２を架け渡し、第２ジョイント板７ｃ−２の２個ずつ組になった取付孔７１ｃからこの２本の柱２１ｃの蓋体にそれぞれビスを螺入して２本の柱２１ｃに第２ジョイント板７ｃ−２を取り付ける。すると、第１ジョイント７ｃ−２の連結部材３２ｃを取り付ける通孔７２ｃのある部分が建物ユニット本体２ｃの内側に突出する。
【００７９】
また、図１２のＤ部分に示すように１本の柱２１ｃとバルコニー床パネル９６ｃの短柱９８ｃが対峙する場所には、図１７に示すように、１本の柱２１ｃと１本の短柱９８ｃの上に第３ジョイント板７ｃ−３を架け渡し、第３ジョイント板７ｃ−３の２個の取付孔７１ｃから１本の柱２１ｃの蓋体に、又、別の２個の取付孔７１ｃから１本の短柱９６ｃの蓋にそれぞれビスを螺入して１本の柱２１ｃと１本の短柱９６ｃとに第３ジョイント板７ｃ−３を取り付ける。すると、第１ジョイント７ｃ−２の連結部材３２ｃを取り付ける通孔７２ｃのある部分が建物ユニット本体２ｃの内側に突出する。
【００８０】
次に、建物ユニット本体２ｃの対角の柱２１ｃに取り付けられているジョイント板７ｃにブレース３ｃを差し渡し、このブレース３ｃの連結部材３２ｃをジョイント板７ｃの建物ユニット本体２ｃの内側に突出している部分に設けられている通孔７２ｃにボルト・ナット３９ｃで回動自在に取り付けると、建物ユニット１ｃとなる。
このようにして６個の建物ユニットを基礎９９ｃの上に据え付けると、１階が形成される。
【００８１】
次に、図１５に示すように、２階の建物ユニット本体２ｃを１階の建物ユニットの上に据え付けたり、バルコニー床パネル９６ｃの上にバルコニーユニット本体９７ｃを据え付ける。
そして、１階と同様にして、建物ユニット本体２ｃにブレース３ｃを取り付けて建物ユニット１ｃとする。
このようにして、１階の建物ユニット１ｃの上に６個の建物ユニト１ｃを設けたり、バルコニーユニット９５ｃを設けると２階が形成される。
【００８２】
そして、この２階の建物ユニット１ｃの上に屋根パネル９ｃを取り付け、種々な仕上げを行うと、ユニット建物Ｈｃが完成する。
このようにして完成したユニット建物Ｈｃでは、ブレース３ｃの連結部材３２ｃが建物ユニット１の内側に突出しているジョイント板７ｃにボルト・ナットで回動可能に軸着されているので、連結部材３２ｃの回動に支障がない。
【００８３】
従って、風や地震等で建物ユニットに平行四辺形にしようとする力が加わったときに、この連結部材が回動し、平行四辺形に変形しようとする力に対して抵抗力が大きいし、これ力が繰り返しても、この回動部分にクラックが発生したり破損することがない。
また、ジョイント板７ｃで建物ユニット１ｃの柱２１ｃと、この柱２１ｃに対峙する柱２１ｃやバルコニーユニット９５ｃの短柱９６ｃとが移動しないように固定されているし、ジョイント板７ｃが柱２１ｃの上端の蓋体２２ｃに２箇所で固定されていて、柱２１ｃが回転しないようになっている。
【００８４】
従って、風や地震等で建物ユニットに平行四辺形にしようとする力が加わったときに、この力は柱２１ｃを移動させたり柱２１ｃを回転させる力になるが、かかる力に対してもジョイント板７ｃが抵抗して、平行四辺形になり難くなっている。
このように、両者の作用によって平行四辺形になり難く。
【００８５】
（実施例４）
図１８〜図２０は本発明の更に別の実施例を示すもので、図１８（イ）はジョイント板を示す斜視図、（ロ）は（イ）の側面図、図１９は連結用ピンを示す正面図、図２０はジョイント板を建物ユニットに取り付けている状態の主要部を骨格のみで示す斜視図である。
【００８６】
この図１８〜図２０に示す実施例４を図１〜図１０に示す実施例１と比較すると、ユニット建物Ｈｄを構成する建物ユニット１ｄには、ブレースが取り付けられてなく、建物ユニット１ｄの柱２１ｄと、この柱２１ｄに対峙する隣の柱２１ｄにジョイント板７ｄが架け渡されて取り付けられていることと、この建物ユニット１ｄの柱２１ｄの構造が異なることとが異なる。
従って、この異なる部分を中心にして説明し、その他は省略する。
【００８７】
ジョイント板７ｄは、図１８に示すように、矩形状の鋼製の板に、通孔７２ｄと下面に突出している突起７３ｄからなる組が対峙する柱の数だけ設けられているものである。
従って、２本の柱２１ｄが対峙する場所に取り付けるジョイント板７ｄには、図１８に示すように、２組の通孔７２ｄと突起７３ｄが設けられているし、３本の柱２１ｄが対峙する場所に取り付けるジョイント板７ｄには３組の通孔７２ｄと突起７３ｄが設けられているし、４本の柱２１ｄが対峙する場所に取り付けるジョイント板７ｄには４組の通孔７２ｄと突起７３ｄが設けられている。
なお、この下面に設けられている突起７３ｄはプロジェクション溶接で取り付けられていて、上面には凹凸が形成されてない。
【００８８】
この実施例４では、図２０に示すように２本の柱２１ｄが対峙する場合について説明する。
柱２１ｄの上端に設ける蓋体２１２ｄには、連結用通孔２１７ｄと通孔２１５ｄが設けられているし、柱２１ｄの下端に設ける図示しない蓋体には通孔が設けられている。連結用通孔２１７ｄには内周面に雌ネジが設けられている。
８ｄは連結用ピンであり、この連結用ピン８ｄは、図１９に示すように、下側半分８１ｄには、柱２１ｄの雌ネジに螺合する雄ネジが設けられ、上側半分８２ｄには、図示しない連結用ナットに螺合雄ネジが設けられ、この境界にはフランジ８３ｄが設けられている棒状体であり、上端と下端が尖っている。
【００８９】
次に、このユニット建物Ｈｄの施工方法について説明する。
工場で、柱２１ｄを使用して、実施例１と同様にして建物ユニット２ｄを製造する。
そして、図２０に示すように、柱２１ｄの上端の蓋体２１２ｄの連結用通孔２１７ｄに連結用ピン８ｄを螺入し、この上から、図示しない合成樹脂製のキャップを被せて、連結用ピン８ｄの雄ネジを保護する。
また、ジョイント板７ｄ等を製造する。
このようにして製造した建物ユニット１ｄやジョイント板７ｄ等を施工現場に運搬する。
【００９０】
施工現場では、予め、設けられている基礎に設けられている外周に雄ネジを有するアンカーボルトに合成樹脂製キャップを被せた後に、柱２１ｄの下端の蓋体に設けられている通孔にアンカーボルトを挿入しながら、建物ユニット１ｄを据え付ける。
そして、柱２１ｄの上端の蓋体２１２ｄに設けられている通孔２１５ｄから工具を差し込んで、アンカーボルトに被せていた合成樹脂製キャップを外し、ナットをアンカーボルトに螺入して、柱２１ｄを基礎に固定する。
【００９１】
このようにして、９個の建物ユニット１ｄを据え付けた後に、図１８に示すように、隣接する建物ユニットの対峙する２本の柱２１ｄの上端面の蓋体２１２ｄにジョイント板７ｄを、ジョイント板７ｄの通孔７２ｄに連結用ピン８ｄを挿入し、ジョイント板７ｄの突起７３ｄを蓋体２１ｄの通孔２１５ｄの中に挿入しながら、取り付ける。
このようにして、基礎の上に９個の建物ユニット１ｄを据え付けて１階を形成する。
【００９２】
次に、この１階の建物ユニット１ｄの柱２１ｄの上端の蓋体２１２ｄに取り付けられた連結用ピン８ｄに建物ユニット１ｄの柱２１ｄの下端に取り付けられた蓋体に設けられた通孔を挿入しながら、１階の建物ユニット１ｄの上に建物ユニット１ｄを据え付ける。
そして、柱２１ｄの上端の蓋体２１２ｄに設けられている通孔２１５ｄから工具を差し込んで、１階の建物ユニット１ｄの柱２１ｄに取り付けられた連結用ピン８ｄに被せていた合成樹脂製キャップを外し、ナットを連結用ピン８ｄに螺入して、柱２１ｄを１階の建物ユニット１ｄに固定する。
【００９３】
このようにして、９個の建物ユニット１ｄの上に９個の建物ユニット１ｄを据え付けて、２階を形成する。
更に、この２階の建物ユニット１ｄの上に、実施例１と同様にして、屋根パネルを取り付けたり、種々な仕上げを行うと、ユニット建物Ｈｄが完成する。
【００９４】
このようにして完成したユニット建物Ｈｄでは、ジョイント板７ｄが対峙する柱２１ｄの上端面の蓋体２１２ｄに、ジョイント板７ｄの通孔７２ｄに連結用ピン８ｄを挿入し、ジョイント板７ｄの突起７３ｄを蓋体２１ｄの通孔２１５ｄの中に挿入した状態に、取り付けられているので、このジョイント板７ｄで対峙する柱が移動しないように固定されているし、ジョイント板７ｄは対峙する柱２１ｄの蓋体２１２ｄの連結用通孔２１７ｄに取り付けられた挿入用ピン８ｄと通孔２１５ｄの２箇所で固定されていて、ジョイント板で対峙する柱２１ｄが回動しないようになっている。
【００９５】
そして、地震や風等で建物ユニットを平行四辺形に変形させようとする力が柱２１ｄにかかっても、柱がジョイント板で相対的に移動しないし、柱が回動しないように固定されていて、平行四辺形に変形する力に抵抗する。
【００９６】
（実施例５）
図２１は本発明の更に別の実施例を示すもので、ジョイント板の柱との関係を示す斜視図である。
【００９７】
この図２１に示す実施例５と図１８〜図２０に示す実施例４と比較すると、柱２１ｅの上端の蓋体２１２ｅに設けられている、連結用通孔２１７ｅと通孔２１５ｅの位置が反対になっていること、従って、ジョイント板７ｅに設けられている２組の通孔７２ｅと突起７３ｅの位置も逆になっていることが異なる。
その他の構造は実施例４と略同じであるし、ユニット建物の施工方法および作用も略同じであるので、説明を省略する。
【００９８】
（実施例６）
図２２は本発明の更に別の実施例を示すもので、ジョイント板を示す斜視図である。
【００９９】
この図２２に示す実施例６と図２１に示す実施例５と比較すると、ジョイント板７ｆに設けられている突起７３ｆがボルト７３１ｆ・ナット７３２ｆで形成されていることが異なる。
従って、突起７３ｆの反対側にボルト７３１ｆの頭部７３５ｆが突出するので、このジョイント板７ｆの上に据え付ける上階の建物ユニットの柱の下端に設けられている蓋体には、このボルト７３１ｆの頭７３５ｆが挿入される通孔を別に設ける必要がある。
その他は実施例４と略同じであるし、ユニット建物の施工方法および作用も略同じであるので、説明を省略する。
【０１００】
以上、この発明の実施の形態を実施例で詳細に説明したが、具体的な構成は、この実施例に限られるものではなく、この発明の要旨を逸脱しない範囲の設計の変更等があっても、この発明に含まれる。
例えば、この実施例では柱と床梁と天井梁とからなる建物ユニットについて説明したが、建物ユニットとしては矩形状の四隅に立設された柱があればよいので、床梁がなくてもよいし、天井梁がなくてもよい。
【０１０１】
また、この実施例の柱の上端面のみを固定する構造について説明したが、特許文献２や３に記載されているように、対峙する天井梁や床梁を連結する構造を併用してもよい。
【０１０２】
【発明の効果】
以上説明してきたように、請求項１記載の発明は、複数個の建物ユニットが組み立てられたユニット建物の補強構造であって、前記建物ユニットには、矩形状の四隅に立設された筒状の柱が備えられ、この筒状の柱には、上端面に蓋体が取り付けられ、線状の連結棒とこの連結棒の両端に取り付けられた板状の連結部材とからなるブレースが対角の柱間に差し渡され、柱の上端面の蓋体には、このブレースの連結部材が回動可能に軸着され、この連結部材の隣に、板状の連結部材と略等しいか若干厚い補助板が設けられているから、複数階建てのユニット建物を建設するときに、下階の建物ユニットの柱の上に上階の建物ユニットの柱を載置しても、柱の上端に設けられている補助板は上下の柱は挟圧されるが、連結部材は挟圧されず、この連結部材は回動可能の状態にある。
【０１０３】
従って、風や地震等で建物ユニットに平行四辺形にしようとする力が加わっも、平行四辺形にしようとする力に対する抵抗力が大きいし、これ平行四辺形になる力が繰り返されても、連結部材が回動し、この連結部材にクラックが発生したり破損することがなく、この平行四変形にしようとする力に対する抵抗力が衰えない。
また、矩形状の建物ユニットの長辺と短辺との比率が変わっても、支障なく取り付けることができる。
【０１０４】
請求項２記載の発明は、請求項１記載の発明に係り、前記連結部材の先端の側縁が円弧状になされ、前記補助板が建物ユニットの柱の上端面と、この柱に対峙する隣の柱の上端面とに架け渡され、この補助板から対峙するすべての柱の蓋体のそれぞれに螺入されたボルトまたはビスで補助板が対峙するすべての柱に固定され、この補助板には、先端を円弧状にした形状の切り欠いた切欠部が設けられ、この切欠部の円弧状の先端に前記連結部材の円弧状の側縁が当接されているから、補助板の円弧状の縁部がが沿って連結部材が回動する。従って、回動可能ゅ連結部材にクラックが入ったり平面視矩形状の建物ユニットの長辺と短辺との比率が変わっても適応できる。
【０１０５】
また、連結部材は蓋体に、補助板に当接されている場所と、柱の蓋体に螺入されたボルトまたはビスの２箇所で固定され、この連結部材によって対峙する柱が移動しないし、対峙する柱に架け渡された連結部材によって柱が回動し難い。
地震や風等で、建物ユニットが平行四辺形に変形するように力が加わっても、ブレースと、移動したり回動し難くなっている柱とで、平行四辺形になろうとする力に抵抗するので、この抵抗力は大きい。
【０１０６】
請求項３記載の発明は、請求項１記載の発明に係り、前記ブレースの連結部材が柱の蓋体に軸着された構造は、前記蓋体と前記連結部材と連結具と係止部材とで構成され、蓋体に設けられている通孔が丸孔であり、前記連結部材が、平板部と、蓋体の通孔に入る大きさの円形で、蓋体の厚みと略同じか若干低く突出した突起がこの平板部の下面に設けられた肉厚部とからなり、この肉厚部には、貫通したネジ孔が設けられ、前記連結具は、連結部材のネジ孔に螺合する肉厚部の厚みより長いネジ棒と、このネジ棒の一方の先端に設けられたネジ棒より大きく蓋体の通孔より小さい径の頭部と、ネジ棒の他方の先端に設けられたネジ棒と略同じか若干小さい径の回転具取付部とからなり、前記係止部材は、蓋体の通孔を通過する大きさで、この係止部材には、連結具のネジ棒は通過するが頭部が通過しない大きさの通孔が偏心した位置に設けられ、係止部材の通孔に連結部材の回転取付部を先頭にして通されたネジ棒が、連結部材のネジ孔に螺入され、蓋体の通孔の中に連結部材の突起が入った状態で、連結具の頭部に引き上げられた係止部材と連結部材の平板部とで蓋体を挟圧した構造になされているから、蓋体の上方から連結部材を柱の蓋体に回動自在に取り付け易いし、ブレースは、通常、対角に取り付けた後に線状の連結棒の長さを短くして張るのであるが、この際、ネジ棒が痛まないし、このブレースの張力にも耐える構造をしている。
【０１０７】
請求項４記載の発明は、複数個の建物ユニットが組み立てられたユニット建物の補強構造であって、前記建物ユニットには、矩形の四隅に立設けられた柱が備えられ、この柱と、この柱に対峙する隣の柱には、建物ユニットの内側に突出するジョイント板が架け渡されて取り付けられ、線状の連結棒とこの連結棒の両端に取り付けられた連結部材とからなるブレースが建物ユニットの対角の柱の間に差し渡され、このブレースの連結部材がジョイント板に回動可能に軸着されているから、ジョイント板で対角の柱が連結され、柱が移動しないと同時に、このブレースの連結部材は建物ユニットの内側に突出しているジョイント板に回動可能に軸着されていて、連結部材の回動に支障がない。
【０１０８】
また、ジョイント板によって対峙する柱が移動し難くなっている。
従って、風や地震等で建物ユニットに平行四辺形にしようとする力が加わったときに、この連結具が回動したり、柱が移動しない。従って、平行四辺形に変形しようとする力に対して抵抗力が大きい。しかも、これ力が繰り返しても、この回動部分にクラックが発生したり破損することがない。
【０１０９】
請求項５記載の発明は、複数個の建物ユニットが組み立てられたユニット建物の補強構造であって、前記建物ユニットには、矩形状の四隅に立設された筒状の柱が備えられ、この筒状の柱と、この柱に対峙する隣の柱には、上端面に連結用通孔と通孔とを有する蓋体が取り付けられ、この上端面の連結用通孔には、上階の建物ユニットを連結するための連結用ピンが取り付けられ、ジョイント板には、通孔と突起からなる組が対峙する柱の数だけ設けられ、このジョイント板が建物ユニットの柱と対峙する隣の柱とに架け渡され、ジョイント板が柱の上端面の蓋体に、ジョイント板の通孔に蓋体に取り付けられた連結用ピンを挿入し、ジョイント板の突起を蓋体の通孔の中に挿入した状態に、取り付けられているから、ジョイント板は対峙する柱の蓋体の連結用通孔と通孔の２箇所で固定されていて、ジョイント板で対峙する柱の蓋体が回動しないし、対峙する柱が移動しないように固定されている。
【０１１０】
従って、地震や風等で建物ユニットを平行四辺形にしようとする力が加わっても、このジョイント板で固定されている柱が移動したり回動することがなく平行四辺形にしようとする力に対する抵抗し、平行四辺形に変形し難い。
【図面の簡単な説明】
【図１】本発明の一実施例を示すもので、ユニット建物を示す斜視図である。
【図２】建物ユニットを示す一部切欠斜視図である。
【図３】（イ）は柱を斜め上方から見た斜視図、（ロ）は柱を斜め下方から見た斜視図である。
【図４】図１のＡ部分の柱にブレースを取り付けてた状態の主要部を示す斜視図である。
【図５】（イ）はブレースの斜視図、（ロ）は（イ）の正面図である。
【図６】連結具を示す斜視図である。
【図７】係止部材の斜視図である。
【図８】（イ）は補助板を示す斜視図である。
【図９】建物ユニット本体にブレースを取り付けている状態を示すもので、（イ）連結部材が取り付けられた連結具を柱の蓋体の通孔の中に挿入している状態を示す縦断面図、（ロ）は連結部材が取り付けられた連結具を柱に取り付けた状態を示す縦断面図である。
【図１０】建物ユニット本体からブレースを取り外している状態を示すもので、（イ）は連結具の回転具取付部を回転している状態を示す縦断面図、（ロ）連結具の回転具取付部の回転を終了した状態を示す縦断面図である。
【図１１】本発明の他の実施例を示すもので、実施例１に使用する部材の代替物を示し、（イ）は連結部材の他の例を示す平面図、（ロ）は（イ）の正面図、（ハ）は連結部材の別の例を示す平面図、（ニ）は（イ）の正面図、（ホ）は補助板の他の例を示す平面図である。
【図１２】本発明の別の実施例を示すもので、ユニット建物を示す斜視図である。
【図１３】（イ）は第１ジョイント板の斜視図、（ロ）は第２ジョイント板の斜視図、（ハ）は第３ジョイントの斜視図である。
【図１４】第１ジョイント板を対峙する４本の柱（図１２のＢ部分の柱）の上に取り付け、この第１ジョイント板にブレースが取り付けた状態を骨格のみで示す斜視図である。
【図１５】図１４に示す１階の建物ユニットの上に２階のユニット建物本体を据え付けた状態を骨格のみで示す斜視図である。
【図１６】第２ジョイント板を対峙する２本の柱（図１２のＣ部分の柱）の上に取り付ている状態を骨格のみで示す斜視図である。
【図１７】第３ジョイント板を１階の建物ユニット本体とバルコニーの対峙する２本の柱（図１２のＤ部分の柱）の上に取り付ている状態を骨格のみで示す斜視図である。
【図１８】本発明の更に別の実施例を示すもので、（イ）はジョイント板を示す斜視図、（ロ）は（イ）の側面図である。
【図１９】連結用ピンを示す正面図である。
【図２０】ジョイント板を建物ユニットに取り付けている状態の主要部を骨格のみで示す斜視図である。
【図２１】本発明の更に別の実施例を示すもので、ジョイント板の柱との関係を示す斜視図である。
【図２２】本発明の更に別の実施例を示すもので、ジョイント板を示す斜視図である。
【符号の説明】
Ｈ、Ｈｃ、Ｈｄ    ユニット建物
１、１ｃ          建物ユニット
２、２ｃ          建物ユニット本体
２１、２１ｃ、２１ｄ、２１ｅ    柱
２１１            柱本体
２１２、２１２ｄ、２１２ｅ      上端の蓋体
２１３            下端の蓋体
２１５、２１５ｄ  上端の蓋体の通孔
２１６            下端の蓋体の通孔
２１７ｄ          連結用通孔
３、３ｃ          ブレース
３１              連結棒
３２、３２ａ、３２ｂ、３２ｃ    連結部材
３２１、３２１ａ、３２１ｂ      平板部
３２２            突起
３２３、３２３ａ、３２３ａ      肉厚部
３２５            ネジ孔
４                連結具
４１              ネジ棒
４２              頭部
４３              回転具取付部
５                係止部材
５１              通孔
６                補助板
６１              切欠部
７ｃ、７ｄ、７ｆ  ジョイント板
７１ｃ            取付孔
７２ｃ、７２ｄ    通孔
７３ｄ、７３ｆ    突起
８ｄ              連結用ピン
【図１】
2005023588.tif 000003
【図２】
2005023588.tif 000004
【図３】
2005023588.tif 000005
【図４】
2005023588.tif 000006
【図５】
2005023588.tif 000007
【図６】
2005023588.tif 000008
【図７】
2005023588.tif 000009
【図８】
2005023588.tif 000010
【図９】
2005023588.tif 000011
【図１０】
2005023588.tif 000012
【図１１】
2005023588.tif 000013
【図１２】
2005023588.tif 000014
【図１３】
2005023588.tif 000015
【図１４】
2005023588.tif 000016
【図１５】
2005023588.tif 000017
【図１６】
2005023588.tif 000018
【図１７】
2005023588.tif 000019
【図１８】
2005023588.tif 000020
【図１９】
2005023588.tif 000021
【図２０】
2005023588.tif 000022
【図２１】
2005023588.tif 000023
【図２２】
2005023588.tif 000024